(57)【特許請求の範囲】
【請求項１】
端末に表示され、前記端末のユーザにより評価が与えられた動画像データにおいて前記評価が与えられた時刻である評価付与時刻と、前記評価が与えられた際に前記ユーザにより指定された、前記端末における前記動画像データの表示範囲内の位置である評価付与位置とを取得する取得部と、
前記評価付与時刻及び前記評価付与位置に基づいて、前記動画像データ内で前記評価が与えられた被写体を特定する特定部と、
前記被写体に関する情報と前記評価の内容とを関連付けた評価情報を生成する生成部と、
を有し、
前記取得部は、前記端末が有するディスプレイ内で前記ユーザにより指定された位置である指定位置と、前記ディスプレイ内で前記動画像データが表示された位置である表示位置と、を取得し、前記指定位置及び前記表示位置に基づいて前記評価付与位置を算出する、
情報処理装置。
【請求項２】
前記取得部は、前記評価付与時刻及び前記評価付与位置に加えて、前記端末において同時に表示された複数の動画像データのうち前記評価が与えられた前記動画像データを識別するための動画像識別情報を取得し、
前記特定部は、前記動画像識別情報に対応する前記動画像データに関連付けて前記被写体を特定する、
請求項１に記載の情報処理装置。
【請求項３】
前記端末において同時に表示された前記複数の動画像データのうち、前記評価が与えられた前記被写体を含む前記動画像データを、他の動画像データと異なる表示態様で表示させる表示制御部をさらに有する、
請求項２に記載の情報処理装置。
【請求項４】
前記生成部は、一又は複数の前記動画像データの表示範囲に含まれている複数の被写体のうち、肯定的な前記評価が与えられた被写体に対して、肯定的な前記評価が与えられなかった被写体よりも高い評価を示す前記評価情報を生成する、
請求項１から３のいずれか一項に記載の情報処理装置。
【請求項５】
前記生成部は、前記評価が与えられた前記被写体に基づいて、前記端末を利用するユーザの嗜好を示す嗜好情報を生成する、
請求項１から４のいずれか一項に記載の情報処理装置。
【請求項６】
前記端末が表示している前記動画像データにおいて、前記評価が与えられた前記被写体が表示されている位置に関連付けて、前記評価の内容を表示させる表示制御部をさらに有する、
請求項１又は２のいずれか一項に記載の情報処理装置。
【請求項７】
前記表示制御部は、前記端末が表示している前記動画像データにおいて、前記評価が与えられた前記被写体が表示されている位置に関連付けて、前記端末において与えられた前記評価の内容と、他の端末において与えられた前記評価の内容とを表示させる、
請求項６に記載の情報処理装置。
【請求項８】
前記生成部は、前記被写体に関する情報と、前記評価の内容と、前記ユーザに関するユーザ情報と、を関連付けた前記評価情報を生成する、
請求項１から７のいずれか一項に記載の情報処理装置。
【請求項９】
コンピュータを、
端末において表示され、前記端末のユーザにより評価が与えられた動画像データにおいて前記評価が与えられた時刻である評価付与時刻と、前記評価が与えられた際に前記ユーザにより指定された、前記端末における前記動画像データの表示範囲内の位置である評価付与位置とを取得する取得部と、
前記評価付与時刻及び前記評価付与位置に基づいて、前記動画像データ内で前記評価が与えられた被写体を特定する特定部と、
前記被写体に関する情報と前記評価の内容とを関連付けた評価情報を生成する生成部と、
として機能させ、
前記取得部は、前記端末が有するディスプレイ内で前記ユーザにより指定された位置である指定位置と、前記ディスプレイ内で前記動画像データが表示された位置である表示位置と、を取得し、前記指定位置及び前記表示位置に基づいて前記評価付与位置を算出する、
プログラム。
【請求項１０】
コンピュータが実行する、
端末において表示され、前記端末のユーザにより評価が与えられた動画像データにおいて前記評価が与えられた時刻である評価付与時刻と、前記評価が与えられた際に前記ユーザにより指定された、前記端末における前記動画像データの表示範囲内の位置である評価付与位置とを取得するステップと、
前記評価付与時刻及び前記評価付与位置に基づいて、前記動画像データ内で前記評価が与えられた被写体を特定するステップと、
前記被写体に関する情報と前記評価の内容とを関連付けた評価情報を生成するステップと、
を有し、
前記取得するステップにおいて、前記端末が有するディスプレイ内で前記ユーザにより指定された位置である指定位置と、前記ディスプレイ内で前記動画像データが表示された位置である表示位置と、を取得し、前記指定位置及び前記表示位置に基づいて前記評価付与位置を算出する、
情報処理方法。
【発明の詳細な説明】
【技術分野】
【０００１】
本発明は、情報処理装置、情報処理方法及びプログラムに関する。
【背景技術】
【０００２】
従来、画像を表示できる端末に、複数のカメラで撮像された複数の動画を配信し、端末に複数の動画を表示する技術が知られている（例えば、特許文献１を参照）。
【先行技術文献】
【特許文献】
【０００３】
【特許文献１】特開平１１−２８９５３１号公報
【発明の概要】
【発明が解決しようとする課題】
【０００４】
動画を視聴しているユーザの属性を適切に分析するために、ユーザの嗜好を特定することが求められている。
【０００５】
そこで、本発明はこれらの点に鑑みてなされたものであり、ユーザの動画の視聴状況に基づいてユーザの嗜好を特定できるようにすることを目的とする。
【課題を解決するための手段】
【０００６】
本発明の第１の態様の情報処理装置は、端末に表示され、前記端末のユーザにより評価が与えられた動画像データにおいて前記評価が与えられた時刻である評価付与時刻と、前記評価が与えられた際に前記ユーザにより指定された、前記端末における前記動画像データの表示範囲内の位置である評価付与位置とを取得する取得部と、前記評価付与時刻及び前記評価付与位置に基づいて、前記動画像データ内で前記評価が与えられた被写体を特定する特定部と、前記被写体に関する情報と前記評価の内容とを関連付けた評価情報を生成する生成部と、を有する。
【０００７】
前記取得部は、前記評価付与時刻及び前記評価付与位置に加えて、前記端末において同時に表示された複数の動画像データのうち前記評価が与えられた前記動画像データを識別するための動画像識別情報を取得し、前記特定部は、前記動画像識別情報に対応する前記動画像データに関連付けて前記被写体を特定してもよい。
【０００８】
前記情報処理装置は、前記端末において同時に表示された前記複数の動画像データのうち、前記評価が与えられた前記被写体を含む前記動画像データを、他の動画像データと異なる表示態様で表示させる表示制御部をさらに有してもよい。
【０００９】
前記生成部は、一又は複数の前記動画像データの表示範囲に含まれている複数の被写体のうち、肯定的な前記評価が与えられた被写体に対して、肯定的な前記評価が与えられなかった被写体よりも高い評価を示す前記評価情報を生成してもよい。
【００１０】
前記生成部は、前記評価が与えられた前記被写体に基づいて、前記端末を利用するユーザの嗜好を示す嗜好情報を生成してもよい。
【００１１】
前記情報処理装置は、前記端末が表示している前記動画像データにおいて、前記評価が与えられた前記被写体が表示されている位置に関連付けて、前記評価の内容を表示させる表示制御部をさらに有してもよい。
【００１２】
前記表示制御部は、前記端末が表示している前記動画像データにおいて、前記評価が与えられた前記被写体が表示されている位置に関連付けて、前記端末において与えられた前記評価の内容と、他の端末において与えられた前記評価の内容とを表示させてもよい。
【００１３】
前記生成部は、前記被写体に関する情報と、前記評価の内容と、前記ユーザに関するユーザ情報と、を関連付けた前記評価情報を生成してもよい。
【００１４】
本発明の第２の態様のプログラムは、コンピュータを、端末において表示され、前記端末のユーザにより評価が与えられた動画像データにおいて前記評価が与えられた時刻である評価付与時刻と、前記評価が与えられた際に前記ユーザにより指定された、前記端末における前記動画像データの表示範囲内の位置である評価付与位置とを取得する取得部と、前記評価付与時刻及び前記評価付与位置に基づいて、前記動画像データ内で前記評価が与えられた被写体を特定する特定部と、前記被写体に関する情報と前記評価の内容とを関連付けた評価情報を生成する生成部と、として機能させる。
【００１５】
本発明の第３の態様の情報処理方法は、コンピュータが実行する、端末において表示され、前記端末のユーザにより評価が与えられた動画像データにおいて前記評価が与えられた時刻である評価付与時刻と、前記評価が与えられた際に前記ユーザにより指定された、前記端末における前記動画像データの表示範囲内の位置である評価付与位置とを取得するステップと、前記評価付与時刻及び前記評価付与位置に基づいて、前記動画像データ内で前記評価が与えられた被写体を特定するステップと、前記被写体に関する情報と前記評価の内容とを関連付けた評価情報を生成するステップと、を実行する。
【発明の効果】
【００１６】
本発明によれば、ユーザの動画の視聴状況に基づいてユーザの嗜好を特定できるようにするという効果を奏する。
【図面の簡単な説明】
【００１７】
【図１】実施形態に係る画像表示システムの概要を説明するための図である。
【図２】画像表示装置が画像配信装置から配信された動画像データを表示している状態を示す模式図である。
【図３】画像配信装置の構成を示す図である。
【図４】画像表示装置が表示する画面の一例を示す図である。
【図５】生成部が記憶部に記憶させる例示的な評価情報及び嗜好情報の模式図である。
【図６】表示制御部が画像表示装置に表示させる例示的な画面の模式図である。
【図７】実施形態に係る画像表示システムが実行する情報処理方法のシーケンス図である。
【発明を実施するための形態】
【００１８】
［画像表示システムＳの概要］
図１は、本実施形態に係る画像表示システムＳの概要を説明するための図である。画像表示システムＳは、画像配信装置１と、複数の画像表示装置２とを有する。画像配信装置１及び画像表示装置２は、ネットワークＮを介して各種のデータを送受信する。ネットワークＮは、例えばインターネット又は携帯電話網を含む。
【００１９】
画像配信装置１は、動画像データを複数の画像表示装置２に配信する情報処理装置であり、例えばサーバ等のコンピュータである。画像配信装置１は、複数の動画像データを記憶する記憶媒体を有しており、画像表示装置２から要求された動画像データを画像表示装置２に配信する。画像配信装置１は、例えば、画像表示装置２又は他の電子機器で収録された動画像データを取得して記憶媒体に記憶する。画像配信装置１は、同一の動画像データを複数の画像表示装置２に配信してもよく、異なる動画像データを複数の画像表示装置２に配信してもよい。
【００２０】
画像表示装置２は、動画像データを見るユーザが使用する端末であり、例えばパーソナルコンピュータ、スマートフォン、タブレット等のコンピュータである。画像表示装置２は、動画像データを表示するためのディスプレイ等の表示部と、ユーザによる操作を受け付けるタッチパネルやマウス等の操作部とを有していれば、任意の装置であってよい。画像配信装置１が有する機能の少なくとも一部を、端末である画像表示装置２が実行してもよい。
【００２１】
図２は、画像表示装置２が画像配信装置１から配信された動画像データを表示している状態を示す模式図である。画像配信装置１は、画像表示装置２によって指定された複数の動画像データを、当該画像表示装置２に配信する。画像表示装置２は、ディスプレイにおける複数の表示範囲Ｒ１〜Ｒ３のそれぞれに、異なる複数の動画像データを同時に表示している。画像表示装置２が同時に表示する複数の動画像データは、１つの対象（例えば、スポーツの試合）を異なるアングルで撮像した複数の動画像データを含んでもよく、互いに無関係な複数の動画像データを含んでもよい。
【００２２】
ユーザは、画像表示装置２が表示している複数の動画像データのうちいずれかの動画像データの表示範囲内で、評価を与える被写体が表示されている位置を指定する。図２の例では、画像表示装置２は、表示範囲Ｒ１内においてユーザの手Ｈでタッチされた位置を、ユーザにより指定された位置として受け付ける。
【００２３】
画像配信装置１は、ユーザにより評価が与えられた動画像データにおいて評価が与えられた時刻である評価付与時刻と、評価が与えられた際にユーザにより指定された動画像データの画像表示装置２における表示範囲内の位置である評価付与位置とを取得する。
【００２４】
画像配信装置１は、評価付与時刻及び評価付与位置に基づいて、動画像データ内で評価が与えられた被写体を特定する。画像配信装置１は、例えば、動画像データに対して既知の画像認識処理を実行することによって、動画像データにおいて評価付与時刻に評価付与位置にある被写体を特定する。画像配信装置１は、特定した被写体に関する情報と、評価の内容とを関連付けた評価情報を生成する。
【００２５】
このように、画像配信装置１は、ユーザが動画像データに対して評価を与えた時刻及び位置に基づいて、ユーザによって評価が与えられた動画像データに写っている被写体を特定する。これにより、画像配信装置１は、動画に写っている被写体ごとのユーザによる評価に関する情報を生成し、ユーザの動画の視聴状況に基づいてユーザの嗜好を特定しやすくできる。
【００２６】
［画像配信装置１の構成］
図３は、画像配信装置１の構成を示す図である。画像配信装置１は、通信部１１と、記憶部１２と、制御部１３と、を有する。制御部１３は、配信部１３１と、取得部１３２と、特定部１３３と、生成部１３４と、表示制御部１３５と、を有する。
【００２７】
通信部１１は、ネットワークＮを介して、画像表示装置２に動画像データを送信するとともに、画像表示装置２からユーザに評価が与えられた被写体を特定するための指定情報を受信するための通信インターフェースである。通信部１１は、配信部１３１から入力された動画像データを、画像表示装置に送信する。通信部１１は、画像表示装置２から受信した指定情報を、取得部１３２に入力する。
【００２８】
記憶部１２は、ＲＯＭ（Read Only Memory）及びＲＡＭ（Random Access Memory）を含む記憶媒体である。記憶部１２は、制御部１３が実行するプログラムを記憶している。また、記憶部１２は、複数の動画像データを、当該複数の動画像データそれぞれを識別するための動画像ＩＤ（Identification）等の動画像識別情報に関連付けて記憶している。また、記憶部１２は、制御部１３が生成した、被写体に対するユーザによる評価に関する評価情報を記憶する。
【００２９】
制御部１３は、例えばＣＰＵ（Central Processing Unit）を有しており、記憶部１２に記憶されたプログラムを実行することにより、配信部１３１、取得部１３２、特定部１３３、生成部１３４及び表示制御部１３５として機能する。
【００３０】
配信部１３１は、画像表示装置２から、動画像データの取得要求を受信する。取得要求は、ユーザが画像表示装置２において指定した複数の動画像データそれぞれを識別するための動画像識別情報を含む。配信部１３１は、記憶部１２において、取得要求に含まれている動画像識別情報に関連付けられている複数の動画像データを特定する。複数の動画像データは、１つの対象（例えば、スポーツの試合）を異なるアングルで撮像した複数の動画像データを含んでもよく、互いに無関係な複数の動画像データを含んでもよい。
【００３１】
配信部１３１は、特定した複数の動画像データを１つの画面に表示するように、画像表示装置２に配信する。配信部１３１は、複数の動画像データをストリーミング配信してもよく、複数の動画像データの全体を一度に配信してもよい。配信部１３１は、ユーザによって１つの動画像データが指定された場合には、１つの動画像データを画像表示装置２に配信してもよい。
【００３２】
画像表示装置２は、画像配信装置１が配信した複数の動画像データを１つの画面に集約し、当該画面をディスプレイに表示させる。図４は、画像表示装置２が表示する画面の一例を示す図である。画像表示装置２は、ディスプレイにおける複数の表示範囲Ｒ１〜Ｒ３のそれぞれに、異なる複数の動画像データを同時に表示している。
【００３３】
ユーザは、画像表示装置２が表示している複数の動画像データのうちいずれかの動画像データの表示範囲内で、評価を与える被写体が表示されている位置を指定する。図４の例では、画像表示装置２は、表示範囲Ｒ１内においてユーザの手Ｈでタッチされた位置を、ユーザにより指定された位置として受け付ける。また、画像表示装置２は、マウスやキーボード等のその他の方法で指定された位置を、ユーザにより指定された位置として受け付けてもよい。
【００３４】
画像表示装置２は、ユーザにより評価が与えられた動画像データの動画像識別情報と、当該評価が与えられた時刻と、当該評価が与えられた際にユーザにより指定された位置とを含む指定情報を、画像配信装置１に送信する。評価が与えられた時刻は、動画像データの再生開始時点からの経過時間（タイムスタンプ）によって表される。ユーザにより指定された位置は、動画像データ内の所定位置を基準としたユーザにより指定された座標によって表されてもよく、ディスプレイ内の所定位置を基準としたユーザにより指定された座標によって表されてもよい。さらに、指定情報は、ディスプレイ内で動画像データが表示された位置、例えばディスプレイ内の所定位置を基準とした動画像データの表示位置の座標を含んでもよい。
【００３５】
画像配信装置１において、取得部１３２は、画像表示装置２が送信した指定情報から、ユーザにより評価が与えられた動画像データの動画像識別情報を取得する。すなわち、取得部１３２は、画像表示装置２において同時に表示された複数の動画像データのうち、ユーザにより指定された位置にある動画像データを識別するための動画像識別情報を取得する。
【００３６】
また、取得部１３２は、画像表示装置２が送信した指定情報から、ユーザにより評価が与えられた動画像データにおいて評価が与えられた時刻である評価付与時刻を取得する。評価付与時刻は、ユーザが動画像データに含まれている被写体に対して評価を与えたタイミングを特定可能な時刻であり、例えば、動画像データの開始時点からの経過時間（タイムスタンプ）である。
【００３７】
また、取得部１３２は、画像表示装置２が送信した指定情報から、動画像データに評価が与えられた際にユーザにより指定された画像表示装置２における動画像データの表示範囲内の位置である評価付与位置を取得する。取得部１３２は、例えば、動画像データ内の所定位置を基準としたユーザにより指定された座標を、画像表示装置２における動画像データの表示範囲内の位置である評価付与位置として取得する。また、取得部１３２は、ディスプレイ内における動画像データの表示位置の座標と、ディスプレイ内の所定位置を基準としたユーザにより指定された座標とに基づいて、画像表示装置２における動画像データの表示範囲内の位置である評価付与位置を算出してもよい。
【００３８】
特定部１３３は、取得部１３２が取得した評価付与時刻及び評価付与位置に基づいて、取得部１３２が取得した動画像識別情報に対応する動画像データに関連付けて、当該動画像データ内で評価が与えられた被写体を特定する。画像配信装置１は、例えば、動画像データに対して既知の画像認識処理を実行することによって、当該動画像データにおいて評価付与時刻に評価付与位置にある被写体を特定する。
【００３９】
また、画像配信装置１は、予め動画像データに対して既知の画像認識処理を実行し、動画像データにおける時刻及び位置ごとに被写体を認識し、認識した被写体を動画像識別情報、時刻及び位置と関連付けた情報を記憶部１２に予め記憶してもよい。この場合に、特定部１３３は、記憶部１２において取得部１３２が取得した動画像識別情報、評価付与時刻及び評価付与位置に関連付けられた被写体を、動画像データにおいて評価付与時刻に評価付与位置にある被写体として特定する。
【００４０】
特定部１３３は、被写体の個体と、被写体の属性との少なくとも一方を特定する。被写体の個体は、例えば、人間又は動物の名前である。被写体の属性は、例えば、性別、年齢、所属（被写体が所属するチーム名等）、生物の分類（人間、犬、猫等）のうち少なくとも１つである。
【００４１】
さらに特定部１３３は、特定した被写体に対してユーザが与えた評価の内容を特定する。本実施形態において、特定部１３３は、ユーザが評価付与位置を指定したことに応じて、肯定的な評価を、被写体に対する評価の内容として特定する。また、特定部１３３は、画像表示装置２において評価付与位置の指定とともに、肯定的な評価と否定的な評価とのどちらかの選択をユーザから受け付け、選択された肯定的な評価と否定的な評価とのどちらかを、被写体に対する評価の内容として特定してもよい。また、特定部１３３は、点数等によって表された肯定的又は否定的な評価の程度の選択をユーザから受け付け、選択された評価の程度を、被写体に対する評価の内容として特定してもよい。
【００４２】
生成部１３４は、特定部１３３が特定した被写体に関する情報と、特定部１３３が特定した評価の内容と、ユーザに関するユーザ情報とを関連付けた評価情報を生成する。被写体に関する情報は、被写体の個人を示す情報と、被写体の属性を示す情報との少なくとも一方を含む。ユーザ情報は、ユーザを識別するための識別情報（ユーザＩＤ等）、ユーザの個人を示す情報（名前等）、又はユーザの属性（年齢、性別、職業、居住地等）のうち少なくとも１つを含む。評価の内容は、肯定的な評価、否定的な評価又は評価の程度を含む。
【００４３】
また、評価の内容は、複数の被写体間の相対的な評価を含んでもよい。この場合に、生成部１３４は、ユーザにより評価が与えられた際に、評価が与えられた被写体を含む動画像データ又は当該動画像データと同時に表示されている他の動画像データの表示範囲に含まれている複数の被写体を既知の画像認識処理によって認識し、認識した複数の被写体のうち、肯定的な評価が与えられた被写体に対して、肯定的な評価が与えられなかった被写体よりも高い評価を示す評価の内容を生成する。生成部１３４は、例えば、第１の被写体に対する評価の内容として、第２の被写体よりも良い評価、又は第２の被写体よりも悪い評価の内容を生成する。これにより、画像配信装置１は、ユーザの複数の被写体に対する相対的な評価の内容を生成し、ユーザの嗜好を特定しやすくできる。
【００４４】
生成部１３４は、生成した評価情報を、記憶部１２に記憶させる。図５（ａ）は、生成部１３４が記憶部１２に記憶させる例示的な評価情報の模式図である。評価情報は、被写体に関する情報、評価の内容及びユーザ情報と、被写体の特定に用いた動画像識別情報、評価付与時刻及び評価付与位置とを関連付けて含んでいる。これにより、画像配信装置１は、動画に写っている被写体ごとのユーザによる評価を生成し、ユーザの動画の視聴状況に基づいてユーザの嗜好を特定しやすくできる。
【００４５】
また、生成部１３４は、ユーザにより評価が与えられた被写体に基づいて、ユーザの嗜好を示す嗜好情報を生成し、記憶部１２に記憶させてもよい。この場合に、生成部１３４は、生成した評価情報を集計することによって、ユーザの嗜好を特定する。生成部１３４は、ユーザの嗜好を、ユーザの個人ごとに特定してもよく、ユーザの属性ごとに特定してもよい。ユーザの嗜好は、ユーザが好んでいる被写体であり、例えば、１人のユーザ、又は所定属性の複数のユーザが過去に肯定的な評価をした回数が所定値以上である被写体である。また、ユーザの嗜好は、複数の被写体間の相対的な好みであってもよい。
【００４６】
図５（ｂ）は、生成部１３４が記憶部１２に記憶させる例示的な嗜好情報の模式図である。嗜好情報は、ユーザ情報と、ユーザの嗜好とを関連付けて含んでいる。図５（ｂ）の例では、嗜好情報は、ユーザの属性ごとの嗜好を表しているが、ユーザの個人ごとの嗜好を表してもよい。これにより、画像配信装置１は、ユーザの様々な被写体に対する嗜好を集計して提示できる。
【００４７】
表示制御部１３５は、生成部１３４が生成した評価情報を、画像表示装置２に表示させるための制御を行う。図６は、表示制御部１３５が画像表示装置２に表示させる例示的な画面の模式図である。画像表示装置２は、ディスプレイにおける複数の表示範囲Ｒ１〜Ｒ３のそれぞれに、配信部１３１が配信した異なる複数の動画像データを同時に表示している。
【００４８】
表示制御部１３５は、画像表示装置２において同時に表示された複数の動画像データのうち、ユーザによる評価が与えられた被写体を含む動画像データを、他の動画像データと異なる表示態様で表示させる。図６の例では、表示範囲Ｒ１、Ｒ２にユーザによる評価が与えられた被写体を含む動画像データが表示されている。表示制御部１３５は、表示範囲Ｒ１、Ｒ２の周囲に動画像枠Ｆ１、Ｆ３を表示させることによって、それ以外の表示範囲Ｒ３とは表示態様を異ならせている。表示制御部１３５は、その他の方法で複数の表示範囲の表示態様を異ならせてもよい。これにより、画像配信装置１は、ユーザに対して、評価を与えた被写体を含んでいる動画像データを容易に認識させることができ、ユーザの好みに合った動画像データのシーンを提案できる。
【００４９】
表示制御部１３５は、各動画像データにおいて、ユーザによる評価が与えられた被写体が表示されている位置に関連付けて、評価の内容を表示させる。図６の例では、表示範囲Ｒ１、Ｒ２にユーザによる評価が与えられた被写体を含む動画像データが表示されている。表示制御部１３５は、表示範囲Ｒ１、Ｒ２において被写体が表示されている位置を囲むように被写体枠Ｆ２、Ｆ４を表示させることによって、被写体に対して肯定的な評価をしたことを表す。表示制御部１３５は、その他の方法でユーザによる評価が与えられた被写体の位置に関連付けて評価の内容を表示してもよい。これにより、画像配信装置１は、ユーザに対して、評価を与えた被写体の位置及び当該評価の内容を容易に認識させることができ、ユーザの好みに合った動画像データのシーンを提案できる。
【００５０】
さらに表示制御部１３５は、各動画像データにおいて、ユーザによる評価が与えられた被写体が表示されている位置に関連付けて、当該ユーザが使用する画像表示装置２において与えられた評価の内容と、他のユーザが使用する他の画像表示装置２において与えられた評価の内容とを表示させてもよい。図６の例では、表示制御部１３５は、ユーザが与えた肯定的な評価の数と、他のユーザが与えた肯定的な評価の数とを合算した値である評価数Ｅを、被写体の位置の近傍に表示している。また、表示制御部１３５は、ユーザによる評価が与えられた被写体以外の動画像データ内の被写体に、他のユーザが使用する他の画像表示装置２において与えられた肯定的な評価の数を表示してもよい。これにより、画像配信装置１は、ユーザに対して、ユーザ自身及び他のユーザが与えた被写体の評価を容易に認識させることができ、注目度の高い被写体を含む動画像データのシーンを提案できる。
【００５１】
［情報処理方法のシーケンス］
図７は、本実施形態に係る画像表示システムＳが実行する情報処理方法のシーケンス図である。画像配信装置１において、配信部１３１は、画像表示装置２から、動画像データの取得要求を受信する。配信部１３１は、記憶部１２において、取得要求に含まれている動画像識別情報に関連付けられている複数の動画像データを特定する。配信部１３１は、特定した複数の動画像データを１つの画面に表示するように、画像表示装置２に配信する（Ｓ１１）。
【００５２】
画像表示装置２は、画像配信装置１が配信した複数の動画像データを１つの画面に集約し、当該画面をディスプレイに表示させる（Ｓ１２）。画像表示装置２は、ユーザから、評価を与える被写体が表示されている位置の指定を受け付ける（Ｓ１３）。画像表示装置２は、ユーザにより評価が与えられた動画像データの動画像識別情報と、当該評価が与えられた時刻と、当該評価が与えられた際にユーザにより指定された位置とを含む指定情報を、画像配信装置１に送信する。
【００５３】
画像配信装置１において、取得部１３２は、画像表示装置２が送信した指定情報から、動画像識別情報、評価付与時刻及び評価付与位置を取得する（Ｓ１４）。特定部１３３は、取得部１３２が取得した動画像識別情報に対応する動画像データに関連付けて、取得部１３２が取得した評価付与時刻及び評価付与位置に基づいて、当該動画像データ内で評価が与えられた被写体を特定する（Ｓ１５）。
【００５４】
生成部１３４は、特定部１３３が特定した被写体に関する情報と、特定部１３３が特定した評価の内容と、ユーザに関するユーザ情報とを関連付けた評価情報を生成する（Ｓ１６）。生成部１３４は、記憶部１２に評価情報を記憶させる。表示制御部１３５は、生成部１３４が生成した評価情報を、画像表示装置２に表示させるための制御を行う。
【００５５】
［実施形態の効果］
本実施形態に係る画像表示システムＳによれば、画像配信装置１は、ユーザが動画像データに対して評価を与えた時刻及び位置に基づいて、ユーザによって評価が与えられた動画像データに写っている被写体を特定する。これにより、画像配信装置１は特定した被写体に対するユーザによる評価に関する情報を生成し、ユーザの動画の視聴状況に基づいてユーザの嗜好を特定しやすくできる。
【００５６】
上述の実施形態において、情報処理装置としての画像配信装置１が主に被写体に対する評価に関する情報を生成するための処理を実行しているが、端末としての画像表示装置２が当該処理の少なくとも一部を実行してもよい。この場合に、端末としての画像表示装置２は、被写体に対する評価に関する情報を生成する情報処理装置として機能する。
【００５７】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【００５８】
画像配信装置１及び画像表示装置２のプロセッサは、図７に示す情報処理方法に含まれる各ステップ（工程）の主体となる。すなわち、画像配信装置１及び画像表示装置２のプロセッサは、図７に示す情報処理方法を実行するためのプログラムを記憶部から読み出し、該プログラムを実行して画像表示システムＳの各部を制御することによって、図７に示す情報処理方法を実行する。図７に示す情報処理方法に含まれるステップは一部省略されてもよく、ステップ間の順番が変更されてもよく、複数のステップが並行して行われてもよい。
【符号の説明】
【００５９】
Ｓ  画像表示システム
１  画像配信装置
１３  制御部
１３１  配信部
１３２  取得部
１３３  特定部
１３４  生成部
１３５  表示制御部
２  画像表示装置
【要約】
【課題】異なる複数の主体によって指定された複数のコンテンツを表示装置に再生させるスケジュールを決定するための手間を削減する。
【解決手段】本発明の一実施形態に係る画像配信装置１は、端末に表示され、端末のユーザにより評価が与えられた動画像データにおいて評価が与えられた時刻である評価付与時刻と、評価が与えられた際にユーザにより指定された、端末における動画像データの表示範囲内の位置である評価付与位置とを取得する取得部１３２と、評価付与時刻及び評価付与位置に基づいて、動画像データ内で評価が与えられた被写体を特定する特定部１３３と、被写体に関する情報と評価の内容とを関連付けた評価情報を生成する生成部１３４と、を有する。
【選択図】図３【図１】
0006871470.tif 000002
【図２】
0006871470.tif 000003
【図３】
0006871470.tif 000004
【図４】
0006871470.tif 000005
【図５】
0006871470.tif 000006
【図６】
0006871470.tif 000007
【図７】
0006871470.tif 000008